(57)【要約】【課題】燃料に含まれる金属イオンを除去する金属イオン除去装置１の寿命を、装置を大型化することなく延長する。【解決手段】金属イオン除去装置１の金属イオン除去層１２は、上、下流側の層１３、１４の２層からなり、上、下流側の層１３、１４は、それぞれ、弱、強酸性イオン交換樹脂を金属イオン捕捉材として充填することで形成されている。これにより、下流側の層１４は、上流側の層１３よりも捕捉可能な金属イオンの種類が多くなるので、層１３、１４の両方で捕捉可能な種類の金属イオンは、上流側の層１３で捕捉されて除去される。このため、下流側の層１４に流入する金属イオンの種類は、上流側の層１３で捕捉不可能な種類の金属イオンとなる。この結果、多数種類の金属イオンを効率的に除去することができるので、金属イオン除去装置１を大型化することなく寿命延長することができる。【選択図】図２
2011074824.tif 000002
【特許請求の範囲】
【請求項１】
金属イオンを捕捉可能な金属イオン捕捉材により形成される金属イオン除去層を備え、
この金属イオン除去層に燃料を通過させることで、燃料に含まれる金属イオンを除去する金属イオン除去装置において、
前記金属イオン除去層は、複数の異なる金属イオン捕捉材の層を燃料の流れ方向に重ねることで形成され、
各層を形成する金属イオン捕捉材は、下流側の層ほど捕捉可能な金属イオンの種類が多くなることを特徴とする金属イオン除去装置。
【請求項２】
請求項１に記載の金属イオン除去装置において、
複数の層の内、少なくとも１組の上流側の層と下流側の層との組合せは、両層ともに酸性のイオン交換基を有するイオン交換体を前記金属イオン捕捉材とし、
前記下流側の層のイオン交換基は、前記上流側の層のイオン交換基よりも強酸性であることを特徴とする金属イオン除去装置。
【請求項３】
請求項２に記載の金属イオン除去装置において、
前記下流側の層のイオン交換体は、前記上流側の層のイオン交換体よりも総イオン交換容量が小さいことを特徴とする金属イオン除去装置。
【請求項４】
請求項２または請求項３に記載の金属イオン除去装置において、
前記イオン交換体は、イオン交換樹脂およびイオン交換不織布として充填されて層を形成することを特徴とする金属イオン除去装置。
【発明の詳細な説明】
【技術分野】
【０００１】
本発明は、燃料に含まれる金属イオンを除去する金属イオン除去装置に関する。
【背景技術】
【０００２】
従来から、内燃機関等に供給される燃料には、不純物として極微量の金属イオンが含まれる一方、潤滑剤としてオレイン酸等の脂肪酸が添加されている。このため、燃料中で、これら金属イオンと脂肪酸との間に塩反応が起こり、脂肪酸金属塩が生成される可能性がある。そして、脂肪酸金属塩は、一般的に燃料に不溶であるため、例えば、インジェクタの摺動部等に析出して作動不良を引き起こす虞がある。
そこで、燃料タンクからインジェクタに至る燃料の供給路に、金属イオンを除去する金属イオン除去装置を配する技術が検討されている。
【０００３】
ところで、燃料等の液体に含まれる金属イオンの除去は、キレート樹脂におけるキレート形成基やイオン交換樹脂におけるイオン交換基のように金属イオンを捕捉できる活性部位が存在することで可能となる。そして、活性部位は、一旦、金属イオンを捕捉してしまうと金属イオンを捕捉する機能を失い、再生により活性部位から金属イオンを取り除かない限り金属イオンを捕捉することができない。このため、金属イオンを除去すべき対象が内燃機関に供給される燃料のように長期間に亘り膨大な処理量となる場合、金属イオン除去装置の寿命をできるだけ長くすることが恒常的に要求されている。
【０００４】
例えば、特許文献１には、水道水等の原水から金属イオン等を除去する浄水カートリッジの長寿命化に関する技術が開示されている。特許文献１によれば、この浄水カートリッジは、活性炭、陽イオン交換樹脂および無機系イオン交換材料等を充填してなる充填層を備え、この充填層に原水を通過させることで金属イオン等を除去する。そして、特許文献１によれば、充填層に陽イオン交換樹脂と無機系イオン交換材料とを配合することで、処理量を増やして長寿命化を図ることが可能である旨、記載されている。
【０００５】
また、特許文献２には、イオン交換により純水を製造する純水製造装置およびその再生方法が開示されている。特許文献２によれば、この純水製造装置は、弱酸性陽イオン交換樹脂を充填した陽イオン交換塔（ＫＷ塔）、強酸性陽イオン交換樹脂と強塩基性陽イオン交換樹脂とを同一塔内に充填した混床式イオン交換塔（ＭＢ塔）とを備え、さらに、陽イオン交換塔と混床式イオン交換塔との間に脱炭酸塔（Ｄ塔）を備えている。
【０００６】
そして、特許文献２によれば、ＭＢ塔の前に、ＫＷ塔およびＤ塔を配することで、ＭＢ塔に供給される水質に関して硬度成分、アルカリ度成分および炭酸を大幅に低減することができる旨、記載されている。さらに、特許文献２によれば、ＭＢ塔に供給される水質が上記のように改善できることから、ＭＢ塔の負荷を減らすことができるとともに、ＭＢ塔の再生時に課題視されている沈殿生成を防止することができる旨、記載されている。
【０００７】
しかし、特許文献１、２の技術は水を処理対象とするものであり、燃料に対する効果は未知数である。
すなわち、特許文献１の浄水カートリッジは、水道水を浄化するものであって、主に、水道水から重金属イオンを除去することを目的とするものである。これに対し、燃料から金属イオンを除去することを目的とする場合、除去対象となる金属イオンは、重金属イオンのみではない。
【０００８】
また、特許文献２の純水製造装置およびその再生方法は、純水の大型製造プラントを対象とするものである。これに対し、燃料から金属イオンを除去する金属イオン除去装置は、車両等に搭載すべきものであり、特許文献２の純水製造装置に比べて大幅に小さいものである。
【先行技術文献】
【特許文献】
【０００９】
【特許文献１】特開２００３−３４０４４８号公報
【特許文献２】特開平７−６８２５４号公報
【発明の概要】
【発明が解決しようとする課題】
【００１０】
本発明は、上記の問題点を解決するためになされたものであり、その目的は、燃料に含まれる金属イオンを除去する金属イオン除去装置の寿命を、装置を大型化することなく延長することにある。
【課題を解決するための手段】
【００１１】
〔請求項１の手段〕
請求項１に記載の金属イオン除去装置は、金属イオンを捕捉可能な金属イオン捕捉材により形成される金属イオン除去層を備え、金属イオン除去層に燃料を通過させることで、燃料に含まれる金属イオンを除去するものである。そして、金属イオン除去層は、複数の異なる金属イオン捕捉材の層を燃料の流れ方向に重ねることで形成され、各層を形成する金属イオン捕捉材は、下流側の層ほど捕捉可能な金属イオンの種類が多くなる。
【００１２】
これにより、上、下流側の両方の層で捕捉可能な種類の金属イオンは、主に、上流側の層で除去されるので、下流側の層に流入する金属イオンの種類は、上流側の層で捕捉不可能な種類の金属イオンとなる。このため、下流側の層ほど捕捉可能な金属イオンの種類を多くすることで、多数種類の金属イオンを含む燃料から金属イオンを効率的に除去することができる。
【００１３】
すなわち、下流側の層に流入する燃料は、上流側の層で一部の種類の金属イオンがほぼ除かれているので、下流側の層は、主に、上流側の層で捕捉不可能な種類の金属イオンを除去できれば機能として充分である。したがって、除去対象となる燃料の性状に応じて、各層に充填すべき金属イオン捕捉材の量を最適化することができるので、金属イオン除去装置を必要以上に大型化することなく寿命を延長することができる。
【００１４】
〔請求項２の手段〕
請求項２に記載の金属イオン除去装置によれば、複数の層の内、少なくとも１組の上流側の層と下流側の層との組合せは、両層ともに酸性のイオン交換基を有するイオン交換体を金属イオン捕捉材とする。また、下流側の層のイオン交換基は上流側の層のイオン交換基よりも強酸性である。
強酸性のイオン交換基は、弱酸性のイオン交換基よりも除去可能な金属イオンの種類が多い。このため、下流側の層のイオン交換基を上流側の層のイオン交換基よりも強酸性にすることで、下流側の層ほど捕捉可能な金属イオンの種類を多くすることができる。
【００１５】
〔請求項３の手段〕
請求項３に記載の金属イオン除去装置によれば、下流側の層のイオン交換体は、上流側の層のイオン交換体よりも総イオン交換容量が小さい。
イオン交換樹脂の骨格となる高分子では、強酸性のイオン交換基を導入できる部位が弱酸性のイオン交換基を導入できる部位に比べて少ないので、強酸性のイオン交換樹脂は、弱酸性のイオン交換樹脂よりも総イオン交換容量が小さい。すなわち、強酸性のイオン交換樹脂は、弱酸性のイオン交換樹脂よりも、捕捉可能な金属イオンの種類が多いものの金属イオンの捕捉可能量が少ない。
【００１６】
このため、下流側の層は、上流側の層で捕捉不可能な種類の金属イオンを上流側の層よりも少ない総イオン交換容量で除去しなければならないので、〔請求項１の手段〕に記載の「燃料の性状に応じて、各層に充填すべき金属イオン捕捉材の量を最適化することができる」という効果を顕著に得ることができる。
【００１７】
〔請求項４の手段〕
請求項４に記載の金属イオン除去装置によれば、イオン交換体は、イオン交換樹脂およびイオン交換不織布として充填されて層を形成する。
この手段は、イオン交換体の態様を示すものである。
【図面の簡単な説明】
【００１８】
【図１】燃料噴射装置の構成図である（実施例１）。
【図２】金属イオン除去装置の要部を示す要部構成図である（実施例１）。
【図３】金属イオン除去装置の要部を示す要部構成図である（実施例２）。
【図４】金属イオン除去装置の要部を示す要部構成図である（実施例３）。
【発明を実施するための形態】
【００１９】
実施形態１の金属イオン除去装置は、金属イオンを捕捉可能な金属イオン捕捉材により形成される金属イオン除去層を備え、金属イオン除去層に燃料を通過させることで、燃料に含まれる金属イオンを除去するものである。そして、金属イオン除去層は、複数の異なる金属イオン捕捉材の層を燃料の流れ方向に重ねることで形成され、各層を形成する金属イオン捕捉材は、下流側の層ほど捕捉可能な金属イオンの種類が多くなる。
【００２０】
また、複数の層の内、少なくとも１組の上流側の層と下流側の層との組合せは、両層ともに酸性のイオン交換基を有するイオン交換体を金属イオン捕捉材とする。また、下流側の層のイオン交換基は上流側の層のイオン交換基よりも強酸性である。
さらに、下流側の層のイオン交換体は、上流側の層のイオン交換体よりも総イオン交換容量が小さい。
実施形態２の金属イオン除去装置によれば、イオン交換体は、イオン交換樹脂およびイオン交換不織布として充填されて層を形成する。
【実施例】
【００２１】
〔実施例１の構成〕
実施例１の金属イオン除去装置１の構成を、図面に基づいて説明する。
金属イオン除去装置１は、車両の内燃機関（図示せず）に噴射供給される燃料から金属イオンを除去するものであり、例えば、図１に示すように、コモンレール２を介して高圧状態に蓄圧された燃料を内燃機関に噴射供給する蓄圧式の燃料噴射装置３の一部を構成している。
【００２２】
なお、燃料噴射装置３は、例えば、燃料タンク４から燃料を汲み上げ高圧化して吐出する燃料供給ポンプ５と、燃料供給ポンプ５から吐出された燃料を高圧状態で蓄圧する蓄圧容器としてのコモンレール２と、内燃機関の気筒ごとに搭載され、コモンレール２から燃料の分配を受けて各気筒内に燃料を噴射するインジェクタ６と、燃料タンク４と燃料供給ポンプ５との間に配されて燃料に含まれる異物を除去する燃料フィルタ７と、各種センサから内燃機関の運転状態を示す検出信号の入力を受けるとともに、これらの検出信号に基づいて燃料供給ポンプ５およびインジェクタ６等の動作を制御する電子制御装置（以下、ＥＣＵとする）８とを備える周知構造を有するものである。
【００２３】
そして、金属イオン除去装置１は、例えば、燃料タンク４と燃料供給ポンプ５との間で、燃料フィルタ７の上流側に配されて燃料から金属イオンを除去する。
また、インジェクタ６内には、コモンレール２で蓄圧された高圧の燃料が導入される各種の空間が形成され、噴孔を開閉する弁体のように燃料噴射の開始および停止に係わる各種部材は、これらの空間を高圧状態に維持しながらインジェクタ６内で変位する。このため、これらの各種部材は、極めてクリアランスの狭い摺動部等を形成しているので、このような摺動部等に脂肪酸金属塩が析出すると、インジェクタ６の作動不良を引き起こす虞がある。
【００２４】
すなわち、内燃機関に供給される燃料には、不純物として極微量の金属イオンが含まれる一方、潤滑剤としてオレイン酸等の脂肪酸が添加されている。このため、燃料中で、これら金属イオンと脂肪酸との間に塩反応が起こり、脂肪酸金属塩が生成される可能性がある。そして、脂肪酸金属塩は、一般的に燃料に不溶であるため、インジェクタ６の摺動部等に析出して作動不良を引き起こす虞がある。
【００２５】
そこで、燃料噴射装置３によれば、例えば、燃料タンク４と燃料供給ポンプ５との間において、燃料フィルタ７の上流側に金属イオン除去装置１が配されて燃料から金属イオンが積極的に除去される。
【００２６】
金属イオン除去装置１は、例えば、図２に示すように、樹脂製のケース１１内に、金属イオンを捕捉可能な金属イオン捕捉材により形成される金属イオン除去層１２を備え、金属イオン除去層１２に燃料を上下方向に下側から上側に通過させることで、燃料に含まれる金属イオンを除去する。また、金属イオン除去層１２は、例えば、２つの異なる金属イオン捕捉材の層１３、１４を燃料の流れ方向に重ねることで形成されている。
【００２７】
ここで、上流側（下側）の層１３を形成する金属イオン捕捉材は、例えば、カルボキシル基をイオン交換基として有する弱酸性イオン交換樹脂であり、上流側の層１３は、弱酸性イオン交換樹脂を金属イオン捕捉材として充填することで形成されている。また、下流側（上側）の層１４を形成する金属イオン捕捉材は、例えば、スルホン酸基をイオン交換基として有する強酸性イオン交換樹脂であり、下流側の層１４は、強酸性イオン交換樹脂を金属イオン捕捉材として充填することで形成されている。
【００２８】
すなわち、下流側の層１４を形成するイオン交換樹脂のイオン交換基は、上流側の層１３を形成するイオン交換樹脂のイオン交換基よりも強酸性であるため、捕捉可能な金属イオンの種類が多い。また、イオン交換樹脂の骨格となる高分子では、スルホン酸基のような強酸性のイオン交換基を導入できる部位が、カルボキシル基のような弱酸性のイオン交換基を導入できる部位に比べて少ないので、強酸性のイオン交換樹脂は、弱酸性のイオン交換樹脂よりも総イオン交換容量が小さい。このため、下流側の層１４を形成するイオン交換樹脂は、上流側の層１３を形成するイオン交換樹脂よりも総イオン交換容量が小さくなる。
【００２９】
このように、上流側の層１３を形成する金属イオン捕捉材を弱酸性イオン交換樹脂とし、下流側の層１４を形成する金属イオン捕捉材を強酸性イオン交換樹脂とすることにより、下流側の層１４は、上流側の層１３よりも金属イオンの捕捉可能量が少ないものの、捕捉可能な金属イオンの種類が多くなっている。
なお、金属イオン除去層１２の上下、および層１３、１４間は、イオン交換樹脂の飛散を防止しつつ燃料の通過を許容するために、メッシュ１５等により区画されたり、仕切られたりしている。
【００３０】
〔実施例１の効果〕
実施例１の金属イオン除去装置１によれば、金属イオン除去層１２は、上、下流側の層１３、１４の２層からなり、上、下流側の層１３、１４は、それぞれ、弱、強酸性イオン交換樹脂を金属イオン捕捉材として充填することで形成されている。
【００３１】
これにより、下流側の層１４は、上流側の層１３よりも金属イオンの捕捉可能量が少ないものの捕捉可能な金属イオンの種類が多くなる。このため、層１３、１４の両方で捕捉可能な種類の金属イオンは、主に、上流側の層１３で捕捉されて除去されるので、下流側の層１４に流入する金属イオンの種類は、上流側の層１３で捕捉不可能な種類の金属イオンとなる。このため、多数種類の金属イオンを含む燃料から金属イオンを効率的に除去することができる。
【００３２】
すなわち、下流側の層１４に流入する燃料は、上流側の層１３で一部の種類の金属イオンがほぼ除かれているので、下流側の層１４は、主に、上流側の層１３で捕捉不可能な種類の金属イオンを除去できれば機能として充分である。したがって、除去対象となる燃料の性状に応じて、層１３、１４のそれぞれに充填すべき樹脂量を最適化することができるので、金属イオン除去装置１を必要以上に大型化することなく寿命を延長することができる。
【００３３】
〔実施例２〕
実施例２の金属イオン除去装置１によれば、図３に示すように金属イオン除去層１２は、上、中、下流側の層１７〜１９の３層からなり、上流側の層１７は、キレート形成基を有するキレート樹脂を金属イオン捕捉材として充填することで形成され、中、下流側の層１８、１９は、それぞれ、弱、強酸性イオン交換樹脂を金属イオン捕捉材として充填することで形成されている。
【００３４】
キレート樹脂の種類、すなわちキレート形成基の種類は、上流側の層１７にて除去したい金属イオンの種類に応じて選択される。また、中、下流側の層１８、１９は、例えば、それぞれ実施例１の上、下流側の層１３、１４と同様に、カルボキシル基を有する弱酸性イオン交換樹脂、スルホン酸基を有する強酸性イオン交換樹脂である。
【００３５】
ここで、キレート樹脂は、キレート形成基の種類ごとに特定種類の金属イオンに対する選択性がイオン交換樹脂の場合よりもはるかに大きい。すなわち、キレート樹脂は、特定種類の金属イオンの濃度が他の種類の金属イオンの濃度よりもはるかに小さい場合（例えば、数十万分の１）でも、特定種類の金属イオンと優先的にキレートを形成して特定種類の金属イオンを捕捉することができる。
【００３６】
これにより、金属イオン除去層１２は、下流側ほど捕捉可能な金属イオンの種類が多くなる３層構造を呈する。そして、燃料は、上流側の層１７にて特定種類の金属イオンが除去された後、中、下流側の層１８、１９に流入して他の種類の金属イオンが除去される。このため、燃料からの金属イオン除去をより効率化することができる。
【００３７】
すなわち、中、下流側の層１８、１９に流入する燃料は、上流側の層１７で特定種類の金属イオンがほぼ除かれているので、中、下流側の層１８、１９は、特定種類以外の金属イオンを除去できれば機能として充分である。したがって、除去対象となる燃料の性状に応じて、層１７〜１９のそれぞれに充填すべき樹脂量を最適化することができるので、金属イオン除去装置１を必要以上に大型化することなく寿命を延長することができる。
なお、中、下流側の層１８、１９のそれぞれに充填すべき樹脂量は、実施例１の金属イオン除去層１２と同様にして最適化できる。
【００３８】
〔実施例３〕
実施例３の金属イオン除去装置１によれば、図４に示すように金属イオン除去層１２は、上、中、下流側の層２１〜２３の３層からなり、上、中流側の層２１、２２は、それぞれ、弱、強酸性イオン交換樹脂を金属イオン捕捉材として充填することで形成され、下流側の層２３は、強酸性イオン交換不織布を金属イオン捕捉材として充填することで形成されている。
【００３９】
イオン交換不織布の充填層は、イオン交換樹脂の充填層よりも嵩密度が小さく、単位体積あたりの燃料との接触面積が大きい。このため、イオン交換不織布の充填層は、イオン交換樹脂の充填層よりも、総イオン交換容量が小さくかつイオン交換反応が進行しやすいものと考えられる。このため、強酸性イオン交換不織布からなる層２３は、強酸性イオン交換樹脂からなる層２２よりも、金属イオンの捕捉可能量が小さいものの金属イオンを捕捉する能力が高いと考えられる。
【００４０】
なお、層２１を形成する弱酸性イオン交換樹脂は、例えば、カルボキシル基を有するものであって実施例１の層１３、実施例２の層１８を形成する弱酸性イオン交換樹脂と同様である。また、層２２を形成する強酸性イオン交換樹脂は、例えば、スルホン酸基を有するものであって実施例１の層１４、実施例２の層１９を形成する強酸性イオン交換樹脂と同様である。さらに、層２３を形成する強酸性イオン交換不織布は、例えば、層２２を形成する強酸性イオン交換樹脂と同様の分子構造を呈しており、イオン交換基としてスルホン酸基を有するものである。
【００４１】
これにより、例えば、燃料の流量が一時的に急増した場合のように、上、中流側の層２１、２２で金属イオンを充分に除去しきれない場合でも、上、中流側の層２１、２２で除去されなかった金属イオンを下流側の層２３で捕捉して除去することができる。
【００４２】
この場合、下流側の層２３は、主に、燃料の流量が一時的に急増して上、中流側の層２１、２２で金属イオンを充分に除去できない状態に対応できれば機能として充分である。したがって、通常時の燃料流量および急増時の燃料流量等に応じて、層２１〜２３のそれぞれに充填すべき樹脂量または不織布量を最適化することができるので、金属イオン除去装置１を必要以上に大型化することなく寿命を延長することができる。
【００４３】
〔変形例〕
実施例の金属イオン除去装置１によれば、金属イオン除去層１２は燃料の流れ方向に対して２層または３層をなしていたが、燃料の流れ方向に対して４層以上の複数層により金属イオン除去層１２を設けてもよい。また、金属イオン除去層１２における燃料の流れ方向は、下側から上側に向かうものであったが、このような態様に限定されず、例えば、水平方向に一方側から他方側に向かうように設定してもよく、中心から放射状に外側に向かうように設定してもよい。さらに、各層に用いる金属イオン捕捉材の態様も実施例に限定されない。
【符号の説明】
【００４４】
１  金属イオン除去装置
１２  金属イオン除去層
１３、１４、１７〜１９、２１〜２３  層
【図１】
2011074824.tif 000003
【図２】
2011074824.tif 000004
【図３】
2011074824.tif 000005
【図４】
2011074824.tif 000006